(57)【要約】  【課題】  簡単な構造にて妨害波の対策が施されており、構成部材の製造及び組み立てコストを低減することができるＴＶ放送チューナ及び該チューナを備えたＴＶ受像機、記録再生装置を提供する。  【解決手段】  第１のチューナパッケージ１と、第２のチューナパッケージ２と、第１のチューナパッケージ１と第２のチューナパッケージ２とを接続する分配用同軸ケーブル３とを有している。【選択図】      図１
2006054829.tif 000002
【特許請求の範囲】
【請求項１】
第１のチューナパッケージと、第２のチューナパッケージと、分配用同軸ケーブルとを
有しており、
前記第１のチューナパッケージ及び前記第２のチューナパッケージは受信信号を復調す
るＩＦ回路を内蔵しており、
前記第１のチューナパッケージはケースが接地されており、外部に備えられたアンテナ
と接続する外部アンテナ端子と、前記分配用同軸ケーブルを係合する第１の内部アンテナ
端子を有しており、
前記第２のチューナパッケージはケースが接地されており、前記分配用同軸ケーブルを
係合する第２の内部アンテナ端子を有しており、
前記第１のチューナパッケージの第１の内部アンテナ端子は前記外部アンテナ端子の近
傍に設けられ、前記第１の内部アンテナ端子と前記第２の内部アンテナ端子とを前記分配
用同軸ケーブルで接続しており、
前記内部アンテナ端子が前記分配用同軸ケーブルの長さが最短になるように配置されて
いることを特徴とするチューナを備えたＴＶ受像機。
【請求項２】
第１のチューナパッケージと、第２のチューナパッケージと、分配用同軸ケーブルとを
有しており、
前記第１のチューナパッケージ及び前記第２のチューナパッケージは受信信号を復調す
るＩＦ回路を内蔵しており、
前記第１のチューナパッケージはケースが接地されており、外部に備えられたアンテナ
と接続する外部アンテナ端子と、前記分配用同軸ケーブルを係合する第１の内部アンテナ
端子を有しており、
前記第２のチューナパッケージはケースが接地されており、前記分配用同軸ケーブルを
係合する第２の内部アンテナ端子を有しており、
前記第１のチューナパッケージの第１の内部アンテナ端子は前記外部アンテナ端子の近
傍に設けられ、前記第１の内部アンテナ端子と前記第２の内部アンテナ端子とを前記分配
用同軸ケーブルで接続しており、
前記内部アンテナ端子が前記分配用同軸ケーブルの長さが最短になるように配置されて
いることを特徴とするチューナを備えた記録再生装置。
【請求項３】
第１のチューナパッケージと、第２のチューナパッケージと、分配用同軸ケーブルとを
有しており、
前記第１のチューナパッケージ及び前記第２のチューナパッケージは受信信号を復調す
るＩＦ回路を内蔵しており、
前記第１のチューナパッケージはケースが接地されており、外部に備えられたアンテナ
と接続する外部アンテナ端子と、前記分配用同軸ケーブルを係合する第１の内部アンテナ
端子を有しており、
前記第２のチューナパッケージはケースが接地されており、前記分配用同軸ケーブルを
係合する第２の内部アンテナ端子を有しており、
前記第１のチューナパッケージの第１の内部アンテナ端子は前記外部アンテナ端子の近
傍に設けられ、前記第１の内部アンテナ端子と前記第２の内部アンテナ端子とを前記分配
用同軸ケーブルで接続しており、
前記内部アンテナ端子が前記分配用同軸ケーブルの長さが最短になるように配置されて
いることを特徴とするチューナ。
【請求項４】
複数のチューナパッケージと、分配用同軸ケーブルとを有しており、
前記複数のチューナパッケージは受信信号を復調するＩＦ回路を内蔵しており、
前記複数のチューナパッケージはケースが接地されており、該複数のチューナパッケー
ジのそれぞれには前記分配用同軸ケーブルを係合する内部アンテナ端子を有しており、
前記複数のチューナパッケージの１個に外部に備えられたアンテナと接続する外部アン
テナ端子を備え、
前記外部アンテナ端子を備えたチューナパッケージに備えられた内部アンテナ端子は前
記外部アンテナ端子の近傍に設けられ、前記複数のチューナパッケージのそれぞれに備え
られた内部アンテナ端子を前記分配用同軸ケーブルで接続しており、
前記内部アンテナ端子が前記分配用同軸ケーブルの長さが最短になるように配置されて
いることを特徴とするチューナ。
【請求項５】
複数のチューナパッケージと、分配用同軸ケーブルとを有しており、
前記複数のチューナパッケージは受信信号を復調するＩＦ回路を内蔵しており、
前記複数のチューナパッケージはケースが接地されており、該複数のチューナパッケー
ジのそれぞれには前記分配用同軸ケーブルを係合する内部アンテナ端子を有しており、
前記複数のチューナパッケージの１個に外部に備えられたアンテナと接続する外部アン
テナ端子を備え、
前記外部アンテナ端子を備えたチューナパッケージに備えられた内部アンテナ端子は前
記外部アンテナ端子の近傍に設けられ、前記複数のチューナパッケージのそれぞれに備え
られた内部アンテナ端子を前記分配用同軸ケーブルで接続しており、
前記内部アンテナ端子が前記分配用同軸ケーブルの長さが最短になるように配置されて
いることを特徴とするＴＶ受像機。
【請求項６】
複数のチューナパッケージと、分配用同軸ケーブルとを有しており、
前記複数のチューナパッケージは受信信号を復調するＩＦ回路を内蔵しており、
前記複数のチューナパッケージはケースが接地されており、該複数のチューナパッケー
ジのそれぞれには前記分配用同軸ケーブルを係合する内部アンテナ端子を有しており、
前記複数のチューナパッケージの１個に外部に備えられたアンテナと接続する外部アン
テナ端子を備え、
前記外部アンテナ端子を備えたチューナパッケージに備えられた内部アンテナ端子は前
記外部アンテナ端子の近傍に設けられ、前記複数のチューナパッケージのそれぞれに備え
られた内部アンテナ端子を前記分配用同軸ケーブルで接続しており、
前記内部アンテナ端子が前記分配用同軸ケーブルの長さが最短になるように配置されて
いることを特徴とする記録再生装置。
【発明の詳細な説明】
【技術分野】
【０００１】
本発明はＴＶ受像機、ＶＴＲ等の記録再生装置等に内蔵される受信用チューナに関する
ものである。
【背景技術】
【０００２】
近年、ＴＶ受像機、ＶＴＲ等の映像機器の多機能化によって、複数のチューナパッケー
ジを備えたチューナを有するものが多くなっている。前記チューナパッケージは同軸ケー
ブルであるアンテナ線と接続しており、前記アンテナ線は外部のアンテナと接続している
。
【０００３】
図４に従来のチューナの概略斜視図を示す。図４に示すチューナＢは、第１のチューナ
パッケージ９１と、第２のチューナパッケージ９２と、分配用同軸ケーブル９３と、アー
ス用金属板９４とを有している。
【０００４】
第１のチューナパッケージ９１の上面９１０には、第２のチューナパッケージ９２と接
続するための内部アンテナ端子９１１が備えられている。また、第１のチューナパッケー
ジ９１の正面９１２には、図示を省略した外部アンテナに接続するアンテナ線と接続する
ための外部アンテナ端子９１３が備えられている。
【０００５】
第２のチューナパッケージ９２の上面９２０には、第１のチューナパッケージ９１と接
続するための内部アンテナ端子９２１を有している。第１のチューナパッケージ９１の内
部アンテナ端子９１１と、第２のチューナパッケージ９２の内部アンテナ端子９２１とは
分配用同軸ケーブル９３にて接続されている。
【０００６】
第１のチューナパッケージ９１の外部アンテナ端子９１３より入力された信号は、分配
用同軸ケーブル９３を介して第２のチューナパッケージ９２にも送られる。そして、第１
のチューナパッケージ９１及び第２のチューナパッケージ９２で受信信号を復調する。第
１のチューナパッケージ９１及び第２のチューナパッケージ９２の２つのチューナパッケ
ージを備えることで、それぞれ別のチャンネルを受信、復調することができ、現在視聴し
ているプログラムとは異なるプログラム（いわゆる裏番組）の録画（録音）を行うことが
できる。それ以外にも、２個のチューナパッケージを持つことで１個のチューナパッケー
ジのときよりも多くの利点がある。
【０００７】
アンテナ線から外部アンテナ端子９１３に送られる信号は数十ＭＨｚ〜数百ＭＨｚと非
常に高い周波数であり、周囲からの妨害を受けやすい。そのため、アンテナ線には外周に
シールド編線が配置された同軸ケーブルが採用されている。シールド編線は接地されてお
り、外部の妨害波が内部の信号に影響を及ぼさないように防護している。
【０００８】
しかしながら、シールド編線に妨害波が流れ、該妨害波が外部アンテナ端子９１３より
第１のチューナパッケージ９１に入力する場合があり、妨害波が入力されることで映像及
び（又は）音声の乱れが発生する。前記妨害波による映像及び（又は）音声の乱れを低減
するためにはチューナＢのインピーダンスを低減して妨害波を逃がしてやる必要がある。
第１のチューナパッケージ９１と第２のチューナパッケージ９２とは内部アンテナ端子９
１１、９２１を繋ぐ分配用同軸ケーブル９３でつながっているが、外部アンテナ端子９１
３より入力される妨害波に対するインピーダンスの低減効果は小さい。
【０００９】
前記妨害波の影響を低減するために、換言すると、チューナＢのインピーダンスを低減
するために、外部アンテナ端子９１３のシールド編線と接続する部分と、第１のチューナ
パッケージ９１の接地部（ケース）及び前記第２のチューナパッケージ９２の接地部（ケ
ース）を接続すればよい。このとき、接続部は外部アンテナ端子９１３の近傍にあるほう
がよく、外部アンテナ端子９１３と接触するアース用金属板９４を設置して、チューナＢ
のインピーダンスを低減している。アース用金属板９４は外部アンテナ端子９１３及び第
１のチューナパッケージ９１の正面９１２と第２のチューナパッケージ９２の正面９２２
とを電気的に接続している。
【特許文献１】実開平９−１６３２７０号公報
【発明の開示】
【発明が解決しようとする課題】
【００１０】
しかしながら、従来のチューナＢでは外部アンテナ端子９１３の接地部と第２のチュー
ナパッケージ９２を繋ぐためのアース用金属板９４を用いる場合、アース用金属板９４を
別途作製しなくてはならない。また、組み立て時に第１のチューナパッケージ９１と第２
のチューナパッケージ９２との配置にあわせて、第１のチューナパッケージ９１の外部ア
ンテナ端子９１３と第２のチューナパッケージ９２のケースが電気的に接触するように配
置しなくてはならない。このように、アース用金属板９４は製作及び設置にコストがかか
る。
【００１１】
そこで本発明は、簡単な構造にて妨害波の対策が施されており、構成部材の製造及び組
み立てコストを低減することができるＴＶ放送チューナ及び該チューナを備えたＴＶ受像
機、記録再生装置を提供することを目的とする。
【課題を解決するための手段】
【００１２】
上記目的を達成するために請求項１の発明は、第１のチューナパッケージと、第２のチ
ューナパッケージと、分配用同軸ケーブルとを有しており、前記第１のチューナパッケー
ジ及び前記第２のチューナパッケージは受信信号を復調するＩＦ回路を内蔵しており、前
記第１のチューナパッケージはケースが接地されており、外部に備えられたアンテナと接
続する外部アンテナ端子と、前記分配用同軸ケーブルを係合する第１の内部アンテナ端子
を有しており、前記第２のチューナパッケージはケースが接地されており、前記分配用同
軸ケーブルを係合する第２の内部アンテナ端子を有しており、前記第１のチューナパッケ
ージの第１の内部アンテナ端子は前記外部アンテナ端子の近傍に設けられ、前記第１の内
部アンテナ端子と前記第２の内部アンテナ端子とを前記分配用同軸ケーブルで接続してお
り、前記内部アンテナ端子が前記分配用同軸ケーブルの長さが最短になるように配置され
ていることを特徴とするチューナを備えたＴＶ受像機を提供する。
【００１３】
この構成によると、従来のチューナに比べて部品点数が減少しており、製造する部品数
が少なくて済み、製造、組み立てに要するコスト、時間を削減することが可能である。そ
れだけ、ＴＶ受像機の製造コストを削減することができる。
【００１４】
また、構造が簡単であるので、接触不良等による動作不良の発生を低減することができ
る。
【００１５】
上記目的を達成するために請求項２の発明は、第１のチューナパッケージと、第２のチ
ューナパッケージと、分配用同軸ケーブルとを有しており、前記第１のチューナパッケー
ジ及び前記第２のチューナパッケージは受信信号を復調するＩＦ回路を内蔵しており、前
記第１のチューナパッケージはケースが接地されており、外部に備えられたアンテナと接
続する外部アンテナ端子と、前記分配用同軸ケーブルを係合する第１の内部アンテナ端子
を有しており、前記第２のチューナパッケージはケースが接地されており、前記分配用同
軸ケーブルを係合する第２の内部アンテナ端子を有しており、前記第１のチューナパッケ
ージの第１の内部アンテナ端子は前記外部アンテナ端子の近傍に設けられ、前記第１の内
部アンテナ端子と前記第２の内部アンテナ端子とを前記分配用同軸ケーブルで接続してお
り、前記内部アンテナ端子が前記分配用同軸ケーブルの長さが最短になるように配置され
ていることを特徴とするチューナを備えた記録再生装置を提供する。
【００１６】
この構成によると、従来のチューナに比べて部品点数が減少しており、製造する部品数
が少なくて済み、製造、組み立てに要するコスト、時間を削減することが可能である。そ
れだけ、記録再生装置の製造コストを削減することができる。
【００１７】
記録再生装置としてビデオレコーダ、ＤＶＤレコーダ、ハードディスクレコーダ等、受
信信号を記録再生することができるものを広く採用することができる。
【００１８】
上記目的を達成するために請求項３の発明は、第１のチューナパッケージと、第２のチ
ューナパッケージと、分配用同軸ケーブルとを有しており、前記第１のチューナパッケー
ジ及び前記第２のチューナパッケージは受信信号を復調するＩＦ回路を内蔵しており、前
記第１のチューナパッケージはケースが接地されており、外部に備えられたアンテナと接
続する外部アンテナ端子と、前記分配用同軸ケーブルを係合する第１の内部アンテナ端子
を有しており、前記第２のチューナパッケージはケースが接地されており、前記分配用同
軸ケーブルを係合する第２の内部アンテナ端子を有しており、前記第１のチューナパッケ
ージの第１の内部アンテナ端子は前記外部アンテナ端子の近傍に設けられ、前記第１の内
部アンテナ端子と前記第２の内部アンテナ端子とを前記分配用同軸ケーブルで接続してお
り、前記内部アンテナ端子が前記分配用同軸ケーブルの長さが最短になるように配置され
ていることを特徴とするチューナを提供する。
【００１９】
この構成によると、従来のチューナに比べて部品点数が減少しており、製造する部品数
が少なくて済み、それだけ、製造、組み立てに要するコスト、時間を削減することが可能
である。
【００２０】
上記目的を達成するために請求項４の発明は、複数のチューナパッケージと、分配用同
軸ケーブルとを有しており、前記複数のチューナパッケージは受信信号を復調するＩＦ回
路を内蔵しており、前記複数のチューナパッケージはケースが接地されており、該複数の
チューナパッケージのそれぞれには前記分配用同軸ケーブルを係合する内部アンテナ端子
を有しており、前記複数のチューナパッケージの１個に外部に備えられたアンテナと接続
する外部アンテナ端子を備え、前記外部アンテナ端子を備えたチューナパッケージに備え
られた内部アンテナ端子は前記外部アンテナ端子の近傍に設けられ、前記複数のチューナ
パッケージのそれぞれに備えられた内部アンテナ端子を前記分配用同軸ケーブルで接続し
ており、前記内部アンテナ端子が前記分配用同軸ケーブルの長さが最短になるように配置
されていることを特徴とするチューナを提供する。
【００２１】
この構成によると、従来のチューナに比べて部品点数が減少しており、製造する部品数
が少なくて済み、それだけ、製造、組み立てに要するコスト、時間を削減することが可能
である。
【００２２】
上記目的を達成するために請求項５の発明は、複数のチューナパッケージと、分配用同
軸ケーブルとを有しており、前記複数のチューナパッケージは受信信号を復調するＩＦ回
路を内蔵しており、前記複数のチューナパッケージはケースが接地されており、該複数の
チューナパッケージのそれぞれには前記分配用同軸ケーブルを係合する内部アンテナ端子
を有しており、前記複数のチューナパッケージの１個に外部に備えられたアンテナと接続
する外部アンテナ端子を備え、前記外部アンテナ端子を備えたチューナパッケージに備え
られた内部アンテナ端子は前記外部アンテナ端子の近傍に設けられ、前記複数のチューナ
パッケージのそれぞれに備えられた内部アンテナ端子を前記分配用同軸ケーブルで接続し
ており、前記内部アンテナ端子が前記分配用同軸ケーブルの長さが最短になるように配置
されていることを特徴とするＴＶ受像機を提供する。
【００２３】
この構成によると、従来のチューナに比べて部品点数が減少しており、製造する部品数
が少なくて済み、それだけ、製造、組み立てに要するコスト、時間を削減することが可能
である。
【００２４】
上記目的を達成するために請求項６の発明は、複数のチューナパッケージと、分配用同
軸ケーブルとを有しており、前記複数のチューナパッケージは受信信号を復調するＩＦ回
路を内蔵しており、前記複数のチューナパッケージはケースが接地されており、該複数の
チューナパッケージのそれぞれには前記分配用同軸ケーブルを係合する内部アンテナ端子
を有しており、前記複数のチューナパッケージの１個に外部に備えられたアンテナと接続
する外部アンテナ端子を備え、前記外部アンテナ端子を備えたチューナパッケージに備え
られた内部アンテナ端子は前記外部アンテナ端子の近傍に設けられ、前記複数のチューナ
パッケージのそれぞれに備えられた内部アンテナ端子を前記分配用同軸ケーブルで接続し
ており、前記内部アンテナ端子が前記分配用同軸ケーブルの長さが最短になるように配置
されていることを特徴とする記録再生装置を提供する。
【００２５】
この構成によると、従来のチューナに比べて部品点数が減少しており、製造する部品数
が少なくて済み、それだけ、製造、組み立てに要するコスト、時間を削減することが可能
である。
【発明の効果】
【００２６】
本発明によると、簡単な構造にて妨害波の対策が施されており、構成部材の製造及び組
み立てコストを低減することができるＴＶ放送チューナ及び該チューナを備えたＴＶ受像
機、記録再生装置を提供することができる。
【発明を実施するための最良の形態】
【００２７】
以下に本発明の実施形態を図面を参照して説明する。図１に本発明にかかるチューナの
一例の斜視図を示す。図１に示すチューナＡはそれには限定されないが、ここでは、ＴＶ
受像機に配置されるものであり第１のチューナパッケージ１と、第２のチューナパッケー
ジ２と、第１のチューナパッケージ１と第２のチューナパッケージ２とを接続する分配用
同軸ケーブル３とを有している。
【００２８】
第１のチューナパッケージ１及び第２のチューナパッケージ２はそれぞれ導電性を有す
るケース１１、２１を有しており、図示を省略した基板上に実装された状態で、ケース１
１、２１は接地されている。
【００２９】
第１のチューナパッケージ１は外部に設けられたアンテナ（図示省略）と接続するアン
テナ線（同軸ケーブル）４を係合するための外部アンテナ端子１０と、分配用同軸ケーブ
ル３を係合するための第１の内部アンテナ端子１２とを有している。また、第２のチュー
ナパッケージ２は分配用同軸ケーブル３を係合するための第２の内部アンテナ端子２２を
有している。
【００３０】
第１のチューナパッケージ１と第２のチューナパッケージ２のいずれにも、アンテナで
受信し、アンテナ線４を介して入力された受信信号を復調するＩＦ回路を内蔵している。
【００３１】
図２に図１に示すチューナの正面図を示す。図２に示すように第１のチューナパッケー
ジ１は正面の上方に外部アンテナ端子１０を有している。外部アンテナ端子１０はＴＶ受
像機の外部に露出している。その下方に第１の内部アンテナ端子１２が形成されている。
第２のチューナパッケージ２は、第１のチューナパッケージ１と所定の距離だけ離れた位
置に並んで配置されている。第２のチューナパッケージ２の正面には、第１の内部アンテ
ナ端子１２の高さＨと同じ又は略同じ高さに第２の内部アンテナ端子２２が配置されてい
る。
【００３２】
第１の内部アンテナ端子１２と第２の内部アンテナ端子２２は分配用同軸ケーブル３で
接続されている。第１の内部アンテナ端子１２は、可能な限り外部アンテナ端子１０に近
い場所に配置されており、第２の内部アンテナ端子２２は第１の内部アンテナ端子１２と
分配用同軸ケーブル３で接続したときに、分配用同軸ケーブル３が最短になる位置に配置
されている。
【００３３】
以下にチューナＡの動作について説明する。アンテナで受信された受信信号がアンテナ
線４を伝ってチューナＡに入力する。このとき、受信信号は数十Ｍｈｚ〜数百ＭＨｚとい
った非常に高い周波数であり、妨害波の影響を受けやすい。そのため、アンテナ線４には
妨害波を防止するためのシールド編線を備えた同軸ケーブルが採用されている。
【００３４】
図３にアンテナ線の断面図を示す。アンテナ線４は受信信号を伝送する芯線４１と、芯
線４１にて伝送される受信信号に電気的な乱れ（ノイズ）が発生するのを防ぐシールド編
線４２とを有している。芯線４１とシールド編線４２の間は絶縁性を有する保持部材４３
が備えられており、芯線４１とシールド編線４２の間隔が略等間隔になるように配置され
ている。また、シールド編線４２の外周は絶縁性を有する被覆４４で覆われている。分配
用同軸ケーブル３も実質的な構造は同様である。
【００３５】
シールド編線４２は接地されており、外部の電界、磁界が伝送信号へ影響を及ぼすのを
防止している。しかしながら、シールド編線４２に妨害波が入力される場合があり、この
とき、妨害波の影響を大きく受けてしまう。
【００３６】
アンテナ線４のシールド編線４２に妨害波が入力された場合、受信信号とともに妨害波
も外部アンテナ端子１０より入力される。チューナＡのインピーダンスが高い場合、妨害
波が逃げることができず妨害波の影響を受けて映像及び（又は）音声に乱れが生じる。ま
た、アンテナ線４は第１のチューナパッケージ１に接続しており、第１のチューナパッケ
ージ１のケース１１から妨害波を接地点に逃す。
【００３７】
しかし、第１のチューナパッケージ１のケース１１を接地するだけでは、インピーダン
スが高いので、妨害波を逃がしきることができないので、妨害波は分配用同軸ケーブル３
のシールド編線を通って第２のチューナパッケージ２のケース２１に流し、第２のチュー
ナパッケージ２のケース２１からも逃す。
【００３８】
このとき、分配用同軸ケーブル３の設置位置は第１のチューナパッケージ１へ妨害波が
入力されてきた場所に近い場所、すなわち、外部アンテナ端子１０の近傍がよい。これに
よって、第１のチューナパッケージ１と第２のチューナパッケージ２のそれぞれのケース
１１、２１と分配用同軸ケーブル３で構成される部分のインピーダンスを小さくすること
ができ、より多くの妨害波を接地点に逃すことができる。妨害波を接地点より逃すことで
、第１のチューナパッケージ１及び（又は）第２のチューナパッケージ２で受信信号を復
調するときに、映像及び（又は）音声に乱れが発生するのを低減することができる。
【００３９】
上記実施例において、チューナとしてチューナパッケージを２個備えたものを例示して
説明しているが、それに限定されるものではなく、２個以上のチューナパッケージを備え
ていてもよい。この場合、妨害波をそれぞれのチューナパッケージで逃すようにしてもよ
く、受信信号が入力するチューナパッケージとその隣のチューナパッケージから逃すよう
にしてもよい。
【図面の簡単な説明】
【００４０】
【図１】本発明にかかるチューナの一例の斜視図である。
【図２】図１に示すチューナの正面図である。
【図３】アンテナ線の断面図である。
【図４】従来のチューナの概略斜視図である。
【符号の説明】
【００４１】
Ａ  チューナ
１  第１のチューナパッケージ
１０  外部アンテナ端子
１１  ケース
１２  第１のアンテナ端子
２  第２のチューナパッケージ
２１  ケース
２２  第２のアンテナ端子
３  分配用同軸ケーブル
４  アンテナ線
４１  芯線
４２  シールド編線
４３  保持部材
４４  被覆
【図１】
2006054829.tif 000003
【図２】
2006054829.tif 000004
【図３】
2006054829.tif 000005
【図４】
2006054829.tif 000006